(57)【要約】【課題】衛生的でメンテナンスが容易に行なえるとともに、外出やドライブ等にも簡単に携行できる尿吸引装置を提供できるようにすることを目的とする。【解決手段】負圧形成部と、負圧形成部で発生させた負圧が負圧供給管を介して導入される密閉可能なリザーブタンクと、リザーブタンクに吸引管を介して連結された尿受け具とを備えた。【選択図】 図１
2007259898.tif 000002
【特許請求の範囲】
【請求項１】
負圧形成部と、負圧形成部で発生させた負圧が負圧供給管を介して導入される密閉可能なリザーブタンクと、リザーブタンクに吸引管を介して連結された尿受け具とを備えたことを特徴とする尿吸引装置。
【請求項２】
負圧形成部が電動モータと、これに直結された吸引ポンプとで構成したことを特徴とする請求項１に記載の尿吸引装置。
【請求項３】
負圧形成部を構成する電動モータと、電動モータを駆動する電源と、電動モータで駆動される吸引ポンプとを同一のケースに収納したことを特徴とする請求項１又は請求項２に記載の尿吸引装置。
【請求項４】
リザーブタンク内に開口する吸引路の端部に水密性を有する収納袋を着脱可能に設け、収納袋の内部と、ケーシング内の収納袋の外方との間に圧力差を形成して収納袋を広げるためのオリフィスを収納袋に形成したことを特徴とする請求項１乃至請求項３のいずれか１項に記載の尿吸引装置。
【請求項５】
収納袋内に、ゲル化剤、増粘剤、吸水樹脂剤の少なくとも一剤を入れたこと特徴とする請求項４に記載の尿吸引装置。
【請求項６】
尿受け具が尿放出口に装着可能なカップ状に形成され、当該カップ状の尿受け具の底部に吸引管が連結されていることを特徴とする請求項１に記載の尿吸引装置。
【請求項７】
尿受け具若しくはその近傍に設けられた温度、湿度、水滴の少なくとも１つを検出する検出器を備え、当該検出器の検出信号により、負圧形成部が駆動されるように構成したことを特徴とする請求項１に記載の尿吸引装置。
【請求項８】
リザーブタンク及び／又は負圧形成部が介護用品に着脱可能に設けたことを特徴とする請求項１に記載の尿吸引装置。
【発明の詳細な説明】
【技術分野】
【０００１】
本発明は尿吸引装置に関するものである。
【背景技術】
【０００２】
近年、高齢化が進み、認知症の老人がふえる一方、少子化で十分な介護が難しくなっている。この認知症の老人の屎尿の処理にはオムツを装着するのが一般的であった。
また、高齢化にともなって、前立腺肥大による頻尿も多くなりこうした不意の尿意に対しても、オムツを装着するのが一般的である。
かかるオシメは主として尿を吸収させるためのもので、分厚い水分吸収体のためにズボン等が不恰好なものとなり、これがために、ゴルフあるいはジョギング等のスポーツや、外出が躊躇される。
また、健常者でも長時間のドライブ等では不意の尿意におそわれることもある。
【０００３】
そこで、無意識の放尿や不意の尿意に対して、尿を吸引するものとして例えば、吸尿並びに排出を兼ねるロータリーポンプとこれを駆動する制御部とを有する真空吸引装置と、排尿受器と、これらを連通接続し尿検知センサ電極を兼ねる電導体を外周面に形成した輸尿チューブとを備え、これらを、隔離された２つのポンプ室と、該ポンプ室と隔離された制御部収納室とを有する筐体に収納し、筐体に併設される収尿タンクは、前記輸尿チューブに連通する内部チューブを備え、開口部が、前記一方のポンプ室とフィルタを介して連通するとともに、ロータを経て他方のポンプ室とフィルタを介して外気に連通させ、二重のフィルタで排気を浄化するようにした自動採尿装置が提案されている。
【０００４】
上記先の提案にかかる自動採尿装置では、尿の吸引並びに排出時に尿がロータリーポンプを直接通過するので、ポンプのロータ等の周面に付着したり、ポンプ内に残った尿が腐敗して雑菌が繁殖しやすく、衛生上に問題があるだけでなく悪臭の原因にもなるという問題があった。
更に、上記の提案されたもののように、隔離された２つのポンプ室と、ポンプ室と隔離された制御部収納室とを有する筐体に収尿タンクを配設したものでは、この収尿タンクからの尿の排出や洗浄に多大の手間と時間を要してしまうという問題もある。
【特許文献１】特開２００５−３３４５５８号公報
【発明の開示】
【発明が解決しようとする課題】
【０００５】
本発明は上記問題点に鑑みて提案されたもので、タンクに収納された尿を簡単に処理でき、衛生的でメンテナンスが容易に行なえるとともに、外出やドライブ等にも簡単に携行できる尿吸引装置を提供できるようにすることを目的とするものである。
【課題を解決するための手段】
【０００６】
上記目的を達成するために本発明にかかる尿吸引装置は、負圧形成部と、負圧形成部で発生させた負圧が負圧供給管を介して導入される密閉可能なリザーブタンクと、リザーブタンクに吸引管を介して連結された尿受け具とを備えたことを最も主要な特徴とするものである。
【０００７】
また、本発明にかかる尿吸引装置では、リザーブタンク内に開口する吸引路の端部に水密性を有する収納袋を着脱可能に設け、収納袋の内部と、ケーシング内で収納袋の外方との間に圧力差を形成して収納袋を広げるためのオリフィスを収納袋に形成したこと、その際、  収納袋内に、ゲル化剤、増粘剤、吸水樹脂剤の少なくとも一剤を入れたことも特徴とするものである。
【０００８】
更に、負圧形成部が電動モータと、これに直結された吸引ポンプとで構成したこと、負圧形成部を構成する電動モータと、電動モータを駆動する電源と、電動モータで駆動される吸引ポンプとを同一のケースに収納したこと、更に、尿受け具が尿放出口に装着可能なカップ状に形成され、当該カップ状の尿受け具の底部に吸引管が連結されていること、尿受け具若しくはその近傍に設けられた温度、湿度、水滴の少なくとも１つを検出する検出器を備え、当該検出器の検出信号により、負圧形成部が駆動されるように構成したこと、更に、リザーブタンク及び／又は負圧形成部が介護用品に着脱可能に設けたことも特徴とするものである。
【発明の効果】
【０００９】
本発明にかかる尿吸引装置によれば、負圧形成部と、負圧形成部で発生させた負圧が負圧供給管を介して導入される密閉可能なリザーブタンクと、リザーブタンクに吸引管を介して連結された尿受け具とを備えてなり、尿が直接負圧形成部を通過しないので、負圧形成部に尿が付着乃至残留することをなくせる。これにより付着乃至残留した尿が腐敗して雑菌が繁殖したり、悪臭の原因になったりすることがなく、衛生的な尿吸引装置を提供することができるという利点がある。
【００１０】
しかも、尿を吸引するリザーブタンクは、吸引管を介して尿受け具と、負圧供給管を介して負圧形成部と夫々連結されており、これら各管を取り外すだけでリザーブタンクを尿吸引装置から取り外して洗浄することができる。
また、リザーブタンク内に開口する吸引路の端部に水密性を有する収納袋を着脱可能に設けたものでは、この収納袋を取り外してそのまま処理することができ、そのメンテナンスも至って簡便なものにすることができる。
【００１１】
因みに、上記収納袋内に、ゲル化剤、増粘剤、吸水樹脂剤の少なくとも一剤を入れたものでは、収納袋の吸引された尿がゲル化若しくは粘度が増加し、当該収納袋を着脱する際に収納された尿が飛散したり、作業者等にかかったりすることを防止できる。
これによりメンテナンスも容易に行なえる利点があり、衛生的に維持できるので、外出やドライブ等にも簡単に携行することができる。
【発明を実施するための最良の形態】
【００１２】
以下、本発明にかかる尿吸引装置の好ましい実施の形態を図面に基づいて説明する。
【実施例１】
【００１３】
図１は、本発明の尿吸引装置の概略構成図であって、図中符号１は尿吸引装置を全体的に示す。
この尿吸引装置１は、負圧形成部２と、負圧形成部２で発生させた負圧が負圧供給管３を介して導入される密閉可能なリザーブタンク４と、リザーブタンク４に吸引管５を介して連結された尿受け具６とを備えてなる。
【００１４】
リザーブタンク４は、容器状の本体部分７とその開口部分を気密状に閉塞する蓋体８とからなり、本体部分７はペット（ポリエチレンテレフタレート）樹脂をブロー成形したもので、開口部９には雄螺子１０が形成されている。
上記蓋体８はキャップ状に形成され、周壁の内面には開口部９に形成された雄螺子部１０に嵌着される雌螺子１１が形成されており、蓋体８の天板部分１２には吸引管５と負圧供給管３とがそれぞれ個別に装着される取り付け孔１３・１４が穿設されている。
斯くして、尿受け部の底部と吸引管及び吸引管の取り付け孔にいたる間に尿の吸引路Ｒが形成される。
【００１５】
上記尿受け具６は、合成樹脂により尿放出口１５を挿入可能な有底筒状のカップ状に形成されており、尿受け具６の底部１６には吸引管連結口１７が設けられ、その近傍部分には尿検出器１８が配設されている。
この尿検出器１８は、温度、湿度、水滴の少なくとも１つを検出するもので、詳細な図示は省略したが、例えば温度検出器ではバイメタルや熱膨張により抵抗が変化するものが、湿度検出器としては湿度の変化に応じて静電容量が変化する容量変化型検出器が、水滴を検出するものとしては結露センサ等が考えられ、これらを併用することで尿の検出精度を高めることができる。
【００１６】
尿受け具６の底部１６の吸引管連結口１７に一端が連結され、他端がリザーブタンク４の蓋体８に穿設された取り付け孔１３に連結する吸引管５は、シリコンチューブ等の柔軟性を有する管で形成されており、吸引管５のリザーブタンク４内の開口端部５ａは負圧供給管３のリザーブタンク４内の開口端部３ａより低い位置に開口させてある。
負圧供給管３は、吸引管５と同様にシリコンチューブ等の柔軟性を有する管で形成することが望ましい。
負圧供給管３を介してリザーブタンク４に負圧を供給する負圧形成部２は、図２乃至図４に示すようになっている。
【００１７】
負圧形成部２はケーシング２０の中に、電動モータ２１を駆動する電源２２と、電動モータ２１で駆動される２個の吸引ポンプ２３を収納してなる。
電源２２は、６本の乾電池を電気的に直列に接続した状態で図３中にケーシング２０の下側に収納するとともに、その上側に上記２個の吸引ポンプ２３が並設されている。
この２個の吸引ポンプ２３は夫々前記電動モータ２１とこれで駆動されるダイヤフラム式のポンプ部２４とを一体に組み合わせて形成されたもので、各ポンプ部２４の吸引口２５は合一されて負圧供給管３に接続されている。
【００１８】
各ポンプ部２４の吸引口２５が合一する部分のケーシング２０の内部空間部分は、活性炭等の消臭剤入りの繊維２７を充填し、側面部分に複数の小孔からなる排気口２８を設けた排気消臭空間２６となっている。
一方、各ポンプ部２４の吐出口４０は上記排気消臭空間２６に開口させてある。
また、ポンプ部２４とケーシング２０との間には制御装置２９が設けられており、この制御装置２９は、前記尿検出器１８からの検出信号あるいは図示を省略したが手動スイッチの操作に基づいて電源２２である乾電池からの電流を上記電動モータ２１に給電又は停止する制御を行なうものである。
【００１９】
即ち、尿検出器１８が尿を検出若しくは手動スイッチがオン操作されると、電源（乾電池）２２からの電流を上記電動モータ２１に供給し、尿検出器１８が尿を検出しなくなったり、手動スイッチがオフ操作されると電動モータ２１への給電が断たれたりするようになっている。
電動モータ２１への給電を断つ場合、給電開始から計時を開始するタイマーにより給電を断つようにすることも考えられる。この給電を停止するタイマーの場合、電動モータ２１の可動時間は概ね３０秒に設定してある。
【００２０】
尚、図２乃至図４中、符号３０はケーシング２０の中に、電動モータ２１を駆動する電源２２と、各電動モータ２１で駆動される２個の吸引ポンプを収納したケーシング２０を吊持若しくは固定するための板状の吊持片であって、この吊持片３０には鍵穴形の吊持孔３１が穿設されている。
図４に示すようにケーシング２０の一側部は電動モータ２１の点検、脱臭剤の取替え、電源２２である乾電池の交換等のメンテンスのための開口３２されており、この開口３２の部分は開閉可能な蓋３３で蓋されている。
また、図１中リザーブタンク４内に二点鎖線で示すものはリザーブタンク４に吸引された尿が一定量になり交換又は排出時期を検出する検出センサ３４である。
【００２１】
上記のように構成された尿吸引装置１の使用の態様を図５に基づいて説明する。
図５は、本発明にかかる尿吸引装置１を車椅子（介護用品）２５に取り付けて使用する例であって、リザーブタンク４は手押しハンドル３６の下方のフレーム部分３７に取り付け、負圧形成部２のケーシング２０は座部３８と手押しハンドル３６の支柱３９とが交差する部分に設置し、尿受け具６をこの介護車３５を使用する者４１の尿放出口１５に装着する。
【００２２】
このとき、図示は省略したが、尿受け具６の上端部に紐やゴム等の装着具を設け、この装着具で尿受け具６をこの車椅子を使用する者４１に固定しておけば、身体が動いたときでもはずれるのを防止することができる。
尿吸引装置１に手動スイッチを備えている場合、その手動スイッチはアームレスト部分４２に取り付けられる。
【００２３】
尿受け具６を装着した者が尿意を催した場合、手動スイッチをオンにして負圧形成部２の電動モータ２１を起動させて吸引ポンプ２３を駆動させるか、そのまま尿を尿受け具６に放出する。
尿受け具６に尿が放出されると、これを尿検出器１８が検出し、尿検出器１８からの検出信号により負圧形成部２の電動モータ２１が起動されて吸引ポンプ２３が駆動される。
この吸引ポンプ２３の駆動により発生された吸引負圧は負圧供給管３を通じてリザーブタンク４に供給されリザーブタンク４内を負圧にする。
【００２４】
リザーブタンク４内が負圧になると、この負圧で吸引管５を介して尿受け具６内の尿はリザーブタンク４内に吸引されて貯留される。
尿受け具６内の尿がなくなり、尿検出器１８が一定の時間（例えば３秒程度）尿を検出しないとき、または上記タイマーが予め設定された一定の時間（例えば３０秒）を経過すると電動モータ２１への給電が停止し、尿の吸引が終了する。
【００２５】
斯くしてリザーブタンク４に所定量の尿が吸引され、これを交換又は排出時期を検出する検出センサ３４が検出すると、リザーブタンク４の蓋体８を外し、尿を貯留した本体部分７が介護車３５から取り出されて尿が排出される。
このとき、図１に二点鎖線で示すように吸引管５と負圧供給管３の夫々にジョイント４３を設けておくと、このジョイント部分を分離することにより、リザーブタンク４の介護車３５からの取り出しが容易なものにすることができる。
【００２６】
尚、上記実施の形態では、尿受け具６を図上では男性用にしてあるが、こうしたものに限られず、形状を変えることにより女性用の尿吸引装置１にすることができる。
また、上記実施の形態における吸引ポンプ２３のポンプ部２４の形式はダイヤフラム式に限られず、ベーン式ポンプやプランジャ式ポンプその他のポンプが使用できるのは勿論のこと、エジェクターやジェットポンプで負圧形成部２を構成することもできるし、吸引ポンプ２３は１台にすることもできる。
また、上記実施の形態におけるケーシング２０を吊持若しくは固定するための吊持片３０は板状の物に代えて紐やフックにすることができるし接着剤などで固定することも可能である。
【実施例２】
【００２７】
本例の尿吸引装置１は、上記実施例１におけるリザーブタンク４を図６乃至図９に示すように変更したもので、図６に示すように、リザーブタンク４内に吸引される尿を収納する収納袋４５を、蓋体８の下方に着脱可能に取り付けてある。
リザーブタンク４は、上記実施例１と略同様に容器状の本体部分７と、本体部分７の上端開口を気密状に閉塞する蓋体８とからなり、蓋体８の中央部分に一端が尿受け具６に連結された吸引管５の端部が接続される接続部４６が形成され、その側方に負圧供給管３が接続される負圧供給口４７が形成されている。
尿受け具６から接続部４６に至る間に尿の吸引路４８が形成されており、この吸引路４８のリザーブタンク４側の端部に尿の収納袋４５が螺着される雌螺子４９が形成されている。
【００２８】
尿の収納袋４５は、柔軟で可撓性を有するシートで、上部開口に筒状の吸引口５０を設けた水密状の袋に形成され、外周には吸引路４８に形成された雄螺子５１が形成されるとともに、当該吸引口５０の近傍の片面（図上表面）部分には差圧形成用のオリフィス（小孔）５２が形成されている。
ここで、上記オリフィス５２は、収納袋４５を膨らませながら吸引管５から多量の空気とともに収納袋４５に尿を吸引するためのもので、収納袋４５内部の圧力（Ｐ１）とリザーブタンク内で収納袋３５の外周部分の圧力（Ｐ２）との間にＰ１＞Ｐ２となるような差圧を形成するようになっている。
【００２９】
したがって、オリフィス５２の開口面積をＳ１、吸引口５０の通路断面積をＳ２とし、負圧供給口４７の通路断面積Ｓ３としたときに、Ｓ１＜Ｓ３＜Ｓ２となるのが望ましいが、少なくともＳ１≦Ｓ３となるようにする必要がある。
尚、本例はオリフィス５２を収納袋４５の吸引口５０の近傍の片面（図上表面）部分に形成するようにしてあるが、こうしたものに限られず、収納袋４５の表裏に貫通するように形成することができる。この場合、オリフィス５２の開口面積Ｓ１は表裏の開口面積を合算したものとなる。
【００３０】
また、本例の尿の収納袋４５内には顆粒状のゲル化剤乃至増粘剤等の薬剤６０が封入されている。
上記ゲル化剤乃至増粘剤等の薬剤６０の一例としては例えば特表２００５−５３３１３４号公報に記載のゲル化剤がある。
因みに上記公報に記載の薬剤６０はゲル化剤≒増粘剤としてあるが、ゲル化剤若しくは増粘剤等の薬剤６０の夫々を単独でまたは混合して封入してもよいし、これに代えて、又はこれとともに特開２０００−７９１５９号公報に記載されているような吸水樹脂剤を封入することもできる。
【００３１】
本例の尿吸引装置１では、先ず、吸引路４８のリザーブタンク４側端部に収納袋４５を取り付けた蓋体８を本体部分７に取り付ける。
次に、上記実施例１と同様、尿受け具６を装着した者が尿意を催した場合、手動スイッチをオンにして負圧形成部２の電動モータ２１を起動させて吸引ポンプ２３を駆動させるか、そのまま尿を尿受け具６に放出する。
尿受け具６に尿が放出されると、これを尿検出器１８が検出し、尿検出器１８からの検出信号により負圧形成部２の電動モータ２１が起動されて吸引ポンプ２３が駆動される。
この吸引ポンプ２３の駆動により発生された吸引負圧は負圧供給管３を通じてリザーブタンク４に供給されリザーブタンク４内を負圧にする。
【００３２】
リザーブタンク４内の負圧により、吸引管を介して大気に開放されている尿受け具６から大量の空気とともに尿が収納袋４５内に吸引される。
この時、尿の収納袋４５は、その表面に形成されたオリフィス５２により収納袋４５に吸引された空気が収納袋４５の外周部に流出するのが制限され、若しくはオリフィス５２の開口面積をＳ１と負圧供給口４７の通路断面積Ｓ３とが等しいときでも流動抵抗を受けるので、膨らむ抵抗が少ない収納袋４５では収納袋４５内の圧力（Ｐ１）と収納袋４５の外周部分の圧力（Ｐ２）との間にＰ１＞Ｐ２となるような差圧が生じ、尿の収納袋４５が膨れた状態に維持される。
【００３３】
したがって、尿の収納袋４５に多量の空気とともに吸引された尿は収納袋４５内のゲル化剤乃至粘剤等の薬剤６０でゲル化されるとともに空気のみがオリフィス５２から収納袋４５外のリザーブタンク４内に流出し、ここから負圧供給管３を介して吸引ポンプ２３に吸い込まれて排出される。
所定量の尿が収納袋４５に吸引されてゲル化剤乃至粘剤等の薬剤６０でゲル化されると、吸引口５０の雄螺子５１と雌螺子４９との螺合が解かれて収納袋４５がリザーブタンク４から取り出される。
しかして、リザーブタンク４から取り出された収納袋４５は、図８に示すようにその吸引口５０の雄螺子５１にキャップ５３を装着すると、不燃ごみ若しくは産業廃棄物として処理することができる。
【００３４】
尚、本例では尿の収納袋４５を、その吸引口５０に形成された雄螺子５１を吸引路４８の端部に形成された雌螺子４９に螺合させて取り付けるようにしてあるが、これを図９に示すように吸引路４８の雌螺子４９を係止用の環状突起５４にし、収納袋４５の吸引口５０を可撓性のチューブ５５で吸引口５０を形成し、このチューブ５５を吸引路４８の環状突起５４部分に挿入して収納袋４５を取り付けるようにすることもできる。
この場合、上記キャップ５３に代えてこのチューブ５５を屈曲させてクリップ５６等で固定して封止する。
また、オリフィス５２はシール用テープ５７を貼着することにより尿を収納した収納袋４５を密封することができる。
【００３５】
加えて、尿の収納袋４５の少なくとも一部を透明にし、その透明部分の内方で尿に触れる場所にウロペーパーを貼着しておくと、ウロペーパーの変化を視認することにより健康状態の管理を容易に行なうことができる。
更に上記各実施例の尿受け具６は、シリコン樹脂等の柔軟な素材で形成したり、柔軟なシート素材を成形したりすると、違和感が極めて少なく、装着者への負担が少ないので、ウロバッグのように接着剤等で、直接肌やオムツや下着等に接着して固定することもできる。
【００３６】
本発明の尿吸引装置１は図５に例示したような介護用に限られず、長距離のドライブやゴルフ等のスポーツ時にも使用することができるのは勿論のことである。
更に、電源２２は乾電池に限られず商用電源を使用することができるようにすることも可能である。
【図面の簡単な説明】
【００３７】
【図１】は本発明の実施例１にかかる尿吸引装置の概略構成図である。
【図２】は本発明の実施例１にかかる尿吸引装置を横断した平面図である。
【図３】は本発明の実施例１にかかる尿吸引装置を縦断した正面図である。
【図４】は本発明の実施例１にかかる尿吸引装置を縦断した側面図である。
【図５】は本発明の実施例１にかかる尿吸引装置の使用状態の１例を示す側面図である。
【図６】は本発明の実施例２にかかる尿吸引装置のリザーブタンクの斜視図である。
【図７】は本発明の実施例２にかかる尿吸引装置の収納袋の取り付け部分の縦断面図である。
【図８】は本発明の実施例２にかかる尿吸引装置の収納袋の斜視図である。
【図９】は本発明の実施例２にかかる尿吸引装置の収納袋の変形例を示す斜視図である。
【符号の説明】
【００３８】
１・・・尿吸引装置
２・・・負圧形成部
３・・・負圧供給管
４・・・リザーブタンク
５・・・吸引管
６・・・尿受け具
１５・・・尿放出口
１８・・・尿検出器
２１・・・電動モータ
２２・・・電源（乾電池）
３５・・・介護用品（車椅子）
４５・・・収納袋
４７・・・負圧供給口
４８・・・吸引路
５２・・・オリフィス
６０・・・薬剤
【図１】
2007259898.tif 000003
【図２】
2007259898.tif 000004
【図３】
2007259898.tif 000005
【図４】
2007259898.tif 000006
【図５】
2007259898.tif 000007
【図６】
2007259898.tif 000008
【図７】
2007259898.tif 000009
【図８】
2007259898.tif 000010
【図９】
2007259898.tif 000011